(57)【要約】【課題】接続対象物がコネクタから容易に抜けないようにする。【解決手段】フレキシブル配線基板８０がハウジング３０の挿入口３１Ａから挿入部３１に挿入されると、動作部材７０の受け部７２がフレキシブル配線基板８０に押されて回転し、ハウジング３０の挿入部３１から離れる方向へ移動するとともに、動作部材７０の操作部７１が回転して第１コンタクト５０及び第２コンタクト６０の可動アーム部５１，６１が挿入部３１から離れる方向へ移動する。フレキシブル配線基板８０が挿入部３１の所定位置まで挿入されると、受け部７２のロック部７２Ｅがフレキシブル配線基板８０の受容部８５を通じてハウジング３０の受容部３５に挿入されるとともに、可動アーム部５１，６１が挿入部３１に近づく方向へ移動する。【選択図】図７Ａ
2015158968.tif 000002
【特許請求の範囲】
【請求項１】
接続対象物が挿入される挿入部を有するハウジングと、前記ハウジングに保持された複数のコンタクトと、前記ハウジングに回転可能に支持された動作部材とを備えたコネクタにおいて、
前記複数のコンタクトはそれぞれ、前記挿入部の奥から前記挿入部の挿入口側へ延びる可動アーム部を有し、前記可動アーム部は弾性変形可能であり、
前記動作部材は、前記可動アーム部を操作する操作部と、前記操作部に連結され、前記挿入部に挿入された前記接続対象物に押されて回転して前記操作部に回転力を伝える受け部とを有し、
前記接続対象物が前記挿入部に挿入されると、前記受け部が前記接続対象物に押されて前記挿入部から離れる方向へ回転するとともに、前記操作部が回転して前記可動アーム部が前記挿入部から離れる方向へ移動し、前記接続対象物が前記挿入部の所定位置まで挿入されると、前記可動アーム部の前記弾性変形によって、前記可動アーム部が前記挿入部に近づく方向へ移動し、
前記受け部は、前記接続対象物が前記挿入部の前記所定位置まで挿入されたとき、前記接続対象物に形成された接続対象物側受容部に挿入されることによって前記接続対象物の挿入方向と反対の方向への前記接続対象物の移動を妨げるロック部を有し、
前記ハウジングは、前記接続対象物が前記挿入部の前記所定位置まで挿入されたとき、前記ロック部を受け容れ、前記反対の方向への前記受け部の移動を妨げるハウジング側受容部を有する
ことを特徴とするコネクタ。
【請求項２】
前記受け部は前記操作部に対して前記挿入部の奥側に位置することを特徴とする請求項１に記載のコネクタ。
【請求項３】
前記動作部材は、
前記受け部に回転力を与え、前記ハウジング側受容部に収容されている前記ロック部を前記ハウジング側受容部の外へ向かって移動させるロック解除用操作部を有する
ことを特徴とする請求項１又は２に記載のコネクタ。
【請求項４】
前記複数のコンタクトはそれぞれ、
前記可動アーム部に設けられ、前記挿入部側へ突出する接点部を有し、
前記接点部は前記接続対象物と接続する
ことを特徴とする請求項１〜３のいずれか１項に記載のコネクタ。
【請求項５】
前記複数のコンタクトはそれぞれ、前記挿入部の奥から前記挿入口側へ延びる固定アーム部と、前記固定アーム部と前記可動アーム部とを前記挿入部の奥で連結する連結部と、前記固定アーム部に設けられ、他の接続対象物に接続される接続部とを有する
ことを特徴とする請求項４に記載のコネクタ。
【請求項６】
前記複数のコンタクトはそれぞれ、前記固定アーム部に設けられ、前記挿入口側から前記挿入部の奥側へ延びるばね部と、前記ばね部に前記接点部と対向するように設けられ、前記挿入部側へ突出する固定アーム部側接点部とを有し、
前記接点部と前記固定アーム部側接点部とのうち少なくとも一方が前記接続対象物と接続する
ことを特徴とする請求項５に記載のコネクタ。
【請求項７】
前記複数のコンタクトは、第１コンタクトと、前記第１コンタクトと異なる種類の第２コンタクトとで構成され、
前記第１コンタクトと前記第２コンタクトとが前記ハウジングの長手方向に沿って所定間隔に交互に配列されている
ことを特徴とする請求項４〜６のいずれか１項に記載のコネクタ。
【請求項８】
前記第１コンタクトの前記接点部と前記第２コンタクトの前記接点部との位置が前記接続対象物の挿入方向でずれ、
前記第１コンタクトが前記ハウジングの前記挿入口側から装着され、
前記第２コンタクトが前記ハウジングの背面部側から装着される
ことを特徴とする請求項７に記載のコネクタ。
【請求項９】
前記第１コンタクトの前記接続部が前記挿入口側に位置し、前記第２コンタクトの前記接続部が前記ハウジングの背面部側に位置している
ことを特徴とする請求項７又は８に記載のコネクタ。
【請求項１０】
前記操作部は、円柱状の本体部と、前記本体部に設けられ、前記第１コンタクトの先端部を受け容れる第１凹部と、前記本体部に設けられ、前記第２コンタクトの先端部を受け容れる第２凹部とを有し、
前記第１凹部と前記第２凹部とが前記本体部の長手方向に沿って所定間隔に交互に配列され、
前記第１凹部と前記第２凹部との位置が前記本体部の周方向においてほぼ９０度ずれている
ことを特徴とする請求項７〜９のいずれか１項に記載のコネクタ。
【請求項１１】
前記ハウジングの前記挿入口の周縁部に前記接続対象物を前記挿入部内に誘う誘い部が設けられている
ことを特徴とする請求項１〜１０のいずれか１項に記載のコネクタ。
【発明の詳細な説明】
【技術分野】
【０００１】
この発明はコネクタに関する。
【背景技術】
【０００２】
従来、図１５、図１６に示すように、ハウジング９０１に接点部材９０２、係合部材９０３及び動作部材９０４がそれぞれ装着されたコネクタが知られている(下記特許文献１参照)。
【０００３】
ハウジング９０１には、２個の係合部材９０３が装着されているとともに、１０個の接点部材９０２が装着されている。１０個の接点部材９０２は２個の係合部材９０３の間に配列されている。ハウジング９０１は、基板９１７が挿入される挿入用凹部９０６を有する。
【０００４】
動作部材９０４はほぼ長板状である。動作部材９０４の両端部には当接受部９３９がそれぞれ形成されている。当接受部９３９は傾斜部９３９Ａを有する。動作部材９０４にはほぼ等間隔に溝部９４０が形成され、溝部９４０に軸部９４３が形成されることによって、動作部材９０４が回動可能に支持される。
【０００５】
基板９１７をハウジング９０１の挿入用凹部９０６に挿入すると、まず基板９１７の先端が当接受部９３９の傾斜部９３９Ａに当接する。
【０００６】
基板９１７が挿入用凹部９０６に押し込まれると、基板９１７の先端によって当接受部９３９が押され、動作部材９０４は軸部９４３を中心として回転する。
【０００７】
基板９１７が挿入用凹部９０６に押し込まれるにつれて動作部材９０４は起立位置に向かって回転する。
【０００８】
基板９１７が挿入用凹部９０６に更に押し込まれると、動作部材９０４は接点部材９０２の復帰力によって起立位置から水平位置に回転する。このとき、動作部材９０４の当接受部９３９が基板９１７の係止用切欠部９１８に係止され、ハウジング９０１からの基板９１７の脱落が防止される。
【先行技術文献】
【特許文献】
【０００９】
【特許文献１】特開２０１３−１９６７８４号公報
【発明の概要】
【発明が解決しようとする課題】
【００１０】
上述のように、従来のコネクタでは、動作部材９０４の当接受部９３９が基板９１７の係止用切欠部９１８に係止されるので、ハウジング９０１から基板９１７が抜けにくい。
【００１１】
しかし、図１７に示すように、基板９１７の係止用切欠部９１８に対する当接受部９３９の先端部の引っ掛り量は大きくない。
【００１２】
このため、なんらかの原因により基板９１７を引き抜く方向に大きな力が生じたとき、基板９１７がコネクタのハウジング９０１から容易に抜けるおそれがある。
【００１３】
この発明はこのような事情に鑑みてなされたもので、その課題は、接続対象物がコネクタから容易に抜けないようにすることである。
【課題を解決するための手段】
【００１４】
上述の課題を解決するため請求項１に記載の発明は、接続対象物が挿入される挿入部を有するハウジングと、前記ハウジングに保持された複数のコンタクトと、前記ハウジングに回転可能に支持された動作部材とを備えたコネクタにおいて、前記複数のコンタクトはそれぞれ、前記挿入部の奥から前記挿入部の挿入口側へ延びる可動アーム部を有し、前記可動アーム部は弾性変形可能であり、前記動作部材は、前記可動アーム部を操作する操作部と、前記操作部に連結され、前記挿入部に挿入された前記接続対象物に押されて回転して前記操作部に回転力を伝える受け部とを有し、前記接続対象物が前記挿入部に挿入されると、前記受け部が前記接続対象物に押されて前記挿入部から離れる方向へ回転するとともに、前記操作部が回転して前記可動アーム部が前記挿入部から離れる方向へ移動し、前記接続対象物が前記挿入部の所定位置まで挿入されると、前記可動アーム部の前記弾性変形によって前記可動アーム部が前記挿入部に近づく方向へ移動し、前記受け部は、前記接続対象物が前記挿入部の前記所定位置まで挿入されたとき、前記接続対象物に形成された接続対象物側受容部に挿入されることによって前記接続対象物の挿入方向と反対の方向への前記接続対象物の移動を妨げるロック部を有し、前記ハウジングは、前記接続対象物が前記挿入部の前記所定位置まで挿入されたとき、前記ロック部を受け容れ、前記反対の方向への前記受け部の移動を妨げるハウジング側受容部を有することを特徴とする。
【００１５】
請求項２に記載の発明は、請求項１に記載のコネクタにおいて、前記受け部は前記操作部に対して前記挿入部の奥側に位置することを特徴とする。
【００１６】
請求項３に記載の発明は、請求項１又は２に記載のコネクタにおいて、前記動作部材は、前記受け部に回転力を与え、前記ハウジング側受容部に収容されている前記ロック部を前記ハウジング側受容部の外へ向かって移動させるロック解除用操作部を有することを特徴とする。
【００１７】
請求項４に記載の発明は、請求項１〜３のいずれか１項に記載のコネクタにおいて、前記複数のコンタクトはそれぞれ、前記可動アーム部に設けられ、前記挿入部側へ突出する接点部を有し、前記接点部は前記接続対象物と接続することを特徴とする。
【００１８】
請求項５に記載の発明は、請求項４に記載のコネクタにおいて、前記複数のコンタクトはそれぞれ、前記挿入部の奥から前記挿入口側へ延びる固定アーム部と、前記固定アーム部と前記可動アーム部とを前記挿入部の奥で連結する連結部と、前記固定アーム部に設けられ、他の接続対象物に接続される接続部とを有することを特徴とする。
【００１９】
請求項６に記載の発明は、請求項５に記載のコネクタにおいて、前記複数のコンタクトはそれぞれ、前記固定アーム部に設けられ、前記挿入口側から前記挿入部の奥側へ延びるばね部と、前記ばね部に前記接点部と対向するように設けられ、前記挿入部側へ突出する固定アーム部側接点部とを有し、前記接点部と前記固定アーム部側接点部とのうち少なくとも一方が前記接続対象物と接続することを特徴とする。
【００２０】
請求項７に記載の発明は、請求項４〜６のいずれか１項に記載のコネクタにおいて、前記複数のコンタクトは、第１コンタクトと、前記第１コンタクトと異なる種類の第２コンタクトとで構成され、前記第１コンタクトと前記第２コンタクトとが前記ハウジングの長手方向に沿って所定間隔に交互に配列されていることを特徴とする。
【００２１】
請求項８に記載の発明は、請求項７に記載のコネクタにおいて、前記第１コンタクトの前記接点部と前記第２コンタクトの前記接点部との位置が前記接続対象物の挿入方向でずれ、前記第１コンタクトが前記ハウジングの前記挿入口側から装着され、前記第２コンタクトが前記ハウジングの背面部側から装着されることを特徴とする。
【００２２】
請求項９に記載の発明は、請求項７又は８に記載のコネクタにおいて、前記第１コンタクトの前記接続部が前記挿入口側に位置し、前記第２コンタクトの前記接続部が前記ハウジングの背面部側に位置していることを特徴とする。
【００２３】
請求項１０に記載の発明は、請求項７〜９のいずれか１項に記載のコネクタにおいて、前記操作部は、円柱状の本体部と、前記本体部に設けられ、前記第１コンタクトの先端部を受け容れる第１凹部と、前記本体部に設けられ、前記第２コンタクトの先端部を受け容れる第２凹部とを有し、前記第１凹部と前記第２凹部とが前記本体部の長手方向に沿って所定間隔に交互に配列され、前記第１凹部と前記第２凹部との位置が前記本体部の周方向においてほぼ９０度ずれていることを特徴とする。
【００２４】
請求項１１に記載の発明は、請求項１〜１０のいずれか１項に記載のコネクタにおいて、前記ハウジングの前記挿入口の周縁部に前記接続対象物を前記挿入部内に誘う誘い部が設けられていることを特徴とする。
【発明の効果】
【００２５】
この発明によれば、接続対象物がコネクタから容易に抜けないようにすることができる。
【図面の簡単な説明】
【００２６】
【図１】この発明の第１実施形態に係るコネクタの斜視図である。
【図２】図１に示すコネクタの第１コンタクトの斜視図である。
【図３】図１に示すコネクタの第２コンタクトの斜視図である。
【図４】図１に示すコネクタの動作部材を斜め前方から見た斜視図である。
【図５】図１に示すコネクタの動作部材を斜め後方から見た斜視図である。
【図６】図１に示すコネクタに接続されるフレキシブル配線基板の斜視図である。
【図７Ａ】フレキシブル配線基板を接続する前のコネクタを受け部のところで切断した状態を示す斜視図である。
【図７Ｂ】フレキシブル配線基板を接続する前のコネクタを第１コンタクトのところで切断した状態を示す斜視図である。
【図７Ｃ】フレキシブル配線基板を接続する前のコネクタを第２コンタクトのところで切断した状態を示す斜視図である。
【図８Ａ】図７Ａに示すコネクタの縦断面図である。
【図８Ｂ】図７Ｂに示すコネクタの縦断面図である。
【図８Ｃ】図７Ｃに示すコネクタの縦断面図である。
【図９Ａ】フレキシブル配線基板をコネクタの挿入部の途中まで挿入したときのコネクタを受け部のところで切断した状態を示す斜視図である。
【図９Ｂ】フレキシブル配線基板をコネクタの挿入部の途中まで挿入したときのコネクタを第１コンタクトのところで切断した状態を示す斜視図である。
【図９Ｃ】フレキシブル配線基板をコネクタの挿入部の途中まで挿入したときのコネクタを第２コンタクトのところで切断した状態を示す斜視図である。
【図１０Ａ】図９Ａに示すコネクタの縦断面図である。
【図１０Ｂ】図９Ｂに示すコネクタの縦断面図である。
【図１０Ｃ】図９Ｃに示すコネクタの縦断面図である。
【図１１Ａ】フレキシブル配線基板をコネクタの挿入部の奥まで挿入したときのコネクタを受け部のところで切断した状態を示す斜視図である。
【図１１Ｂ】フレキシブル配線基板をコネクタの挿入部の奥まで挿入したときのコネクタを第１コンタクトのところで切断した状態を示す斜視図である。
【図１１Ｃ】フレキシブル配線基板をコネクタの挿入部の奥まで挿入したときのコネクタを第２コンタクトのところで切断した状態を示す斜視図である。
【図１２Ａ】図１１Ａに示すコネクタの縦断面図である。
【図１２Ｂ】図１１Ｂに示すコネクタの縦断面図である。
【図１２Ｃ】図１１Ｃに示すコネクタの縦断面図である。
【図１３】この発明の第２実施形態に係るコネクタの動作部材の斜視図である。
【図１４Ａ】フレキシブル配線基板を接続する前の第２実施形態のコネクタを受け部のところで切断した状態を示す断面図である。
【図１４Ｂ】フレキシブル配線基板を接続する途中の第２実施形態のコネクタを受け部のところで切断した状態を示す断面図である。
【図１４Ｃ】フレキシブル配線基板を接続した後の第２実施形態のコネクタを受け部のところで切断した状態を示す断面図である。
【図１５】従来のコネクタに基板を装着する前の状態を示す斜視図である。
【図１６】図１５に示すコネクタの分解斜視図である。
【図１７】図１５に示すコネクタに基板を押し込み、当接受部が係止用切欠部に入った状態を示す断面図である。
【発明を実施するための形態】
【００２７】
以下、この発明の実施の形態を図面に基づいて説明する。
【００２８】
図１に示すように、この発明の第１実施形態に係るコネクタ１０は、ハウジング３０と第１コンタクト５０と第２コンタクト６０と動作部材７０とを備えている。
【００２９】
コネクタ１０は、図示しないプリント基板（他の接続対象物）に実装され、図６に示すフレキシブル配線基板（接続対象物）８０を受け容れてプリント基板とフレキシブル配線基板８０とを電気的に接続する。
【００３０】
図６に示すように、フレキシブル配線基板８０は、帯状のベースフィルム８１と、ベースフィルム８１の一方の面に形成された複数の導電路８２と、ベースフィルム８１の一方の面に貼り付けられ、導電路８２を覆うカバーフィルム８３と、ベースフィルム８１の他方の面の一端部に貼り付けられた補強板８４とを有する。ベースフィルム８１の一端部の両側部には切欠８１Ａが形成されている。複数の導電路８２はそれぞれベースフィルム８１の長手方向に沿って延びている。フレキシブル配線基板８０の左端（図６に向って左端）にある導電路８２から数えて奇数番目の導電路８２の一端部には、端子部８２Ａが形成されている。端子部８２Ａの幅は導電路８２の端子部８２Ａ以外の部分の幅よりも広い。フレキシブル配線基板８０の左端にある導電路８２から数えて偶数番目の導電路８２の一端部には、端子部８２Ａ´が形成されている。端子部８２Ａ´の幅は導電路８２の端子部８２Ａ´以外の部分の幅よりも広い。端子部８２Ａと端子部８２Ａ´とはフレキシブル配線基板８０の挿入方向ＤＩでずれている。カバーフィルム８３の一端部は切除され、導電路８２の端子部８２Ａ，８２Ａ´が露出している。補強板８４には切欠８４Ａが形成されている。切欠８４Ａはベースフィルム８１の切欠８１Ａと同形状であり、補強板８４の板厚方向で切欠８１Ａと対向する。ベースフィルム８１の切欠８１Ａと補強板８４の切欠８４Ａとで受容部（接続対象物側受容部）８５が構成される。
【００３１】
図１、図７Ａに示すように、ハウジング３０は筐体状であり、挿入部３１と収容部３２と第１コンタクト収容室３３と第２コンタクト収容室３４と受容部（ハウジング側受容部）３５とを有する。コネクタ１０のハウジング３０は絶縁性の樹脂製である。
【００３２】
挿入部３１はハウジング３０の前面部３０Ａから背面部３０Ｂへ向かって延びる空間部である。挿入部３１はハウジング３０の前面部３０Ａに形成された挿入口３１Ａを有する。挿入部３１には挿入口３１Ａを通じてフレキシブル配線基板８０が挿入される。ハウジング３０の挿入口３１Ａの周縁部には、フレキシブル配線基板８０を挿入部３１内に誘う誘い部３１Ｂが形成されている。
【００３３】
収容部３２はハウジング３０の上面部３０Ｄに形成され、動作部材７０を回転可能に収容する。収容部３２は挿入部３１に通じている。収容部３２はハウジング３０の両側面部３０Ｃに達し、この部分が軸受部３２Ａである。
【００３４】
第１コンタクト収容室３３と第２コンタクト収容室３４とはハウジング３０の長手方向ＬＨに沿って所定間隔に交互に配置されている。第１コンタクト収容室３３と第２コンタクト収容室３４とはそれぞれ挿入方向ＤＩに沿って延びる。
【００３５】
第１コンタクト収容室３３は第１コンタクト５０を収容し、保持する。第１コンタクト収容室３３は挿入部３１と収容部３２とに通じている（図７Ｂ、図８Ｂ参照）。第１コンタクト収容室３３の前端はハウジング３０の前面部３０Ａに達し、外部に通じている。第１コンタクト収容室３３の後端はハウジング３０の背面部３０Ｂに達し、外部に通じている。
【００３６】
第２コンタクト収容室３４は第２コンタクト６０を収容し、保持する。第２コンタクト収容室３４は挿入部３１と収容部３２とに通じている。第２コンタクト収容室３４の後端はハウジング３０の背面部３０Ｂに達し、外部に通じている（図７Ｃ、図８Ｃ参照）。
【００３７】
受容部３５は、フレキシブル配線基板８０がハウジング３０の挿入部３１の所定位置（フレキシブル配線基板８０の受容部８５がハウジング３０の受容部３５とハウジング３０の上下方向ＵＤで対向する位置）まで挿入されたとき、受け部７２のロック部７２Ｅを受け容れる凹部である（図１２Ａ参照）。受け部７２のロック部７２Ｅがフレキシブル配線基板８０の受容部８５を通じてハウジング３０の受容部３５に挿入されることにより、受け部７２の回転（図１２Ａにおいて時計回りの回転）が阻止され、フレキシブル配線基板８０の挿入方向ＤＩと反対の方向への移動が妨げられる。
【００３８】
図２、図３に示すように、第１コンタクト５０と第２コンタクト６０とは種類の異なるコンタクトである。第１コンタクト５０はハウジング３０の前側（挿入口３１Ａ側）から装着され、第２コンタクト６０はハウジング３０の後側（背面部３０Ｂ側）から装着される。第１コンタクト５０と第２コンタクト６０とはそれぞれ金属板に打抜き加工を施すことによって形成されている。第１コンタクト５０と第２コンタクト６０とはハウジング３０の長手方向ＬＨに沿って所定間隔に交互に配列されている（図１参照）。
【００３９】
図２、図８Ｂに示すように、複数の第１コンタクト５０は、それぞれハウジング３０の挿入部３１の奥から挿入口３１Ａに向かって延びる弾性変形可能な可動アーム部５１と、可動アーム部５１に設けられ、挿入部３１に突出する第１接点部（接点部）５２と、ハウジング３０の挿入部３１の奥から挿入口３１Ａに向かって延びる固定アーム部５３と、固定アーム部５３と可動アーム部５１とを挿入部３１の奥で連結する連結部５４と、固定アーム部５３の前端に設けられ、プリント基板に接続される接続部５５とを有している。可動アーム部５１の先端部５１Ａは第１接点部５２よりも挿入口３１Ａ側に位置している。接続部５５はハウジング３０の挿入口３１Ａ側に位置している。
【００４０】
また、複数の第１コンタクト５０はそれぞれ、挿入部３１の挿入口３１Ａ側から挿入部３１の奥側へ延びるばね部５６と、第１接点部５２と対向するようにばね部５６に設けられ、挿入部３１へ突出する第２接点部（固定アーム部側接点部）５７とを有する。ばね部５６は固定アーム部５３に設けられている。
【００４１】
図３、図８Ｃに示すように、複数の第２コンタクト６０はそれぞれ、ハウジング３０の挿入部３１の奥から挿入口３１Ａへ向かって延びる可動アーム部６１と、可動アーム部６１に設けられ、挿入部３１に突出する第１接点部（接点部）６２と、ハウジング３０の挿入部３１の奥から挿入口３１Ａに向かって延びる固定アーム部６３と、固定アーム部６３と可動アーム部６１とを挿入部３１の奥で連結する連結部６４と、固定アーム部６３の後端に設けられ、プリント基板に接続される接続部６５とを有している。可動アーム部６１の先端部６１Ａは第１接点部６２よりも挿入口３１Ａ側に位置している。接続部６５はハウジング３０の背面部３０Ｂ側に位置している。
【００４２】
また、複数の第２コンタクト６０はそれぞれ、挿入部３１の挿入口３１Ａ側から挿入部３１の奥側へ延びるばね部６６と、第１接点部６２と対向するようにばね部６６に設けられ、挿入部３１へ突出する第２接点部（固定アーム部側接点部）６７とを有する。ばね部６６は固定アーム部６３に設けられている。
【００４３】
図８Ｂ、図８Ｃに示すように、第１コンタクト５０の第１接点部５２と第２コンタクト６０の第１接点部６２との位置がフレキシブル配線基板８０の挿入方向ＤＩでずれている。同様に、第１コンタクト５０の第２接点部５７と第２コンタクト６０の第２接点部６７との位置がフレキシブル配線基板８０の挿入方向ＤＩでずれている。
【００４４】
図４、図５に示すように、動作部材７０は、第１コンタクト５０及び第２コンタクト６０の可動アーム部５１，６１を操作する操作部７１と、操作部７１に連結され、ハウジング３０の挿入口３１Ａに挿入されたフレキシブル配線基板８０に押されて回転して操作部７１に回転力を伝える受け部７２とを有する。動作部材７０は絶縁性の樹脂製である。
【００４５】
図４、図５、図８Ｂ、図８Ｃに示すように、操作部７１は、円柱状の本体部７１Ａと、本体部７１Ａに設けられ、第１コンタクト５０の可動アーム部５１の先端部５１Ａを受け容れる第１凹部７１Ｂと、本体部７１Ａに設けられ、第２コンタクト６０の可動アーム部６１の先端部６１Ａを受け容れる第２凹部７１Ｃとを有している。本体部７１Ａの両端部はハウジング３０の軸受部３２Ａに回転可能に支持されている（図１参照）。本体部７１Ａの両端部の近傍には受け部７２が設けられている。第１凹部７１Ｂと第２凹部７１Ｃとは本体部７１Ａの長手方向に沿って所定間隔に交互に配列されている。第１凹部７１Ｂの位置と第２凹部７１Ｃの位置とは本体部７１Ａの周方向においてほぼ９０度ずれている。
【００４６】
図１、図８Ａを更に参照して、受け部７２は操作部７１よりもハウジング３０の挿入部３１の奥側に位置している。受け部７２はロック部７２Ｅを有する。ロック部７２Ｅは、フレキシブル配線基板８０がハウジング３０の挿入部３１の所定位置まで挿入されたとき、フレキシブル配線基板８０の受容部８５に挿入され（図１２Ａ参照）、フレキシブル配線基板８０の挿入方向ＤＩと反対の方向への移動が妨げられる。受け部７２は、更に前面７２Ａと後面７２Ｂと上面７２Ｃと傾斜面７２Ｄとを有する。前面７２Ａと後面７２Ｂとはほぼ平行である。後面７２Ｂと上面７２Ｃとのなす角度はほぼ９０度である。傾斜面７２Ｄの下端は前面７２Ａの下端に、傾斜面７２Ｄの上端は後面７２Ｂの下端にそれぞれ連なる。傾斜面７２Ｄと後面７２Ｂとのなす角度は鈍角である。
【００４７】
次に、この実施形態のコネクタ１０の組立手順を説明する。
【００４８】
まず、複数の第１コンタクト５０をそれぞれハウジング３０の前方（図７Ｂの左側）から第１コンタクト収容室３３に圧入する。
【００４９】
次に、ハウジング３０の上方（図７Ａの上側）から動作部材７０を収容部３２に挿入し、動作部材７０の本体部７１Ａの両端部をそれぞれハウジング３０の軸受部３２Ａに支持させる（図１参照）。
【００５０】
最後に、複数の第２コンタクト６０をそれぞれハウジング３０の後方（図７Ｃの右側）から第２コンタクト収容室３４に圧入する。
【００５１】
以上の手順を経てコネクタ１０の組立が完了する。
【００５２】
次に、図７Ａ〜図１２Ｃを用いて、この実施形態のコネクタ１０の動作を説明する。
【００５３】
ハウジング３０の挿入部３１にフレキシブル配線基板８０が挿入されていないとき、動作部材７０の受け部７２の上面７２Ｃはハウジング３０の上面部３０Ｄとほぼ平行であり（図７Ａ、図８Ａ参照）、動作部材７０の第１凹部７１Ｂの内面７１Ｄと第１コンタクト５０の可動アーム部５１の先端部５１Ａとは接触しておらず（図７Ｂ、図８Ｂ参照）、動作部材７０の第２凹部７１Ｃの内面７１Ｅと第２コンタクト６０の可動アーム部６１の先端部６１Ａとは接触していない（図７Ｃ、図８Ｃ参照）。
【００５４】
フレキシブル配線基板８０がハウジング３０の挿入部３１の挿入口３１Ａに挿入されると、動作部材７０の受け部７２がフレキシブル配線基板８０に押されて回転し、受け部７２がハウジング３０の挿入部３１から離れる方向へ移動する（図９Ａ、図１０Ａ参照）。受け部７２の回転につれて操作部７１が回転（図１０Ｂにおいて反時計回りの回転）すると、第１コンタクト５０の可動アーム部５１の先端部５１Ａが第１凹部７１Ｂの内面７１Ｄに押されて、挿入部３１から離れる方向へ移動する（図９Ｂ、図１０Ｂ参照）。同様に、第２コンタクト６０の可動アーム部６１の先端部６１Ａが第２凹部７１Ｃの内面７１Ｅに押されて、挿入部３１から離れる方向へ移動する（図９Ｃ、図１０Ｃ参照）。その結果、第１コンタクト５０の第１接点部５２と第２接点部５７との間隔が広がる（図９Ｂ、図１０Ｂ参照）とともに、第２コンタクト６０の第１接点部６２と第２接点部６７との間の間隔が広がる（図９Ｃ、図１０Ｃ参照）。したがって、フレキシブル配線基板８０はハウジング３０の挿入部３１に小さな力で、あるいは無挿入力で挿入することができる。
【００５５】
フレキシブル配線基板８０が更に挿入され、フレキシブル配線基板８０の受容部８５がハウジング３０の上下方向ＵＤでハウジング３０の受容部３５と対向すると、動作部材７０の受け部７２のロック部７２Ｅがフレキシブル配線基板８０の受容部８５を通じてハウジング３０の受容部３５に入る（図１１Ａ、図１２Ａ参照）。このとき、操作部７１は反対方向（図１２Ｂにおいて時計回り）へ回転して第１コンタクト５０の可動アーム部５１の先端部５１Ａが第１凹部７１Ｂの内面７１Ｄに接触しなくなり、可動アーム部５１の復帰力により挿入部３１の方へ移動する（図１１Ｂ、図１２Ｂ参照）。同様に、第２コンタクト６０の可動アーム部６１の先端部６１Ａが第２凹部７１Ｃの内面７１Ｅに接触しなくなり、可動アーム部６１の復帰力により挿入部３１の方へ移動する（図１１Ｃ、図１２Ｃ参照）。その結果、第１コンタクト５０の第１接点部５２と第２接点部５７との間隔が狭まる（図１１Ｂ、図１２Ｂ参照）とともに、第２コンタクト６０の第１接点部６２と第２接点部６７との間隔が狭まり（図１１Ｃ、図１２Ｃ参照）、第１コンタクト５０の第１接点部５２がフレキシブル配線基板８０の端子部８２Ａに接触し、第２コンタクト６０の第１接点部６２がフレキシブル配線基板８０の端子部８２Ａ´に接触する。このようにしてフレキシブル配線基板８０とプリント基板とが電気的に接続される。
【００５６】
フレキシブル配線基板８０がコネクタ１０に接続された状態（図１２Ａに示す状態）から、フレキシブル配線基板８０をコネクタ１０から引き抜こうとすると、フレキシブル配線基板８０の受容部８５の内面が動作部材７０の受け部７２の後面７２Ｂに突き当たり、フレキシブル配線基板８０が動作部材７０の受け部７２の後面７２Ｂを挿入方向ＤＩと反対の方向へ押すが、受け部７２のロック部７２Ｅがハウジング３０の受容部３５に深く入り込んでいるので、受け部７２のロック部７２Ｅの前面７２Ａがハウジング３０の受容部３５の内面に突き当たる。したがって、受け部７２はほとんど回転しないため、フレキシブル配線基板８０の挿入方向ＤＩと反対の方向への移動は確実に阻止される。
【００５７】
この実施形態によれば、何らかの原因によりフレキシブル配線基板８０をコネクタ１０から引き抜こうとする大きな力が生じたとしても、フレキシブル配線基板８０はコネクタ１０から容易に抜けない。
【００５８】
また、動作部材７０の受け部７２を操作部７１よりも後ろ（挿入部３１の奥側）に配置し、フレキシブル配線基板８０がハウジング３０の挿入部３１にある程度挿入された時点で、フレキシブル配線基板８０が受け部７２に接触する構造を採用したので、フレキシブル配線基板８０を円滑に挿入部３１に挿入することができ、フレキシブル配線基板８０のハウジング３０への挿入性が良い。
【００５９】
更に、第１コンタクト５０の第１接点部５２と第２コンタクト６０の第１接点部６２との位置が挿入方向ＤＩでずれているので、第１コンタクト５０と第２コンタクト６０との配列ピッチを小さくでき、その分コネクタ１０の長手方向ＬＨにおける寸法を小さくできる。
【００６０】
また、可動アーム部５１，６１にそれぞれ第１接点部５２，６２、第２接点部５７，６７を設けたので、フレキシブル配線基板８０を挿入部３１に挿入するとき、フレキシブル配線基板８０の端子部８２Ａ，８２Ａ´がある面を上下どちらにしたとしても、フレキシブル配線基板８０とプリント基板とは電気的に接続される。
【００６１】
フレキシブル配線基板８０がロック部７２Ｅによってロックされた状態からフレキシブル配線基板８０をハウジング３０から引き抜くには、治具等を用いて操作部７１か受け部７２を回転させて、ロック部７２Ｅによるフレキシブル配線基板８０のロック状態を解除し、フレキシブル配線基板８０をハウジング３０から引き抜くようにする。
【００６２】
なお、コネクタ１０には図１５〜図１７に示す従来のコネクタの係合部材９０３に相当するものがないので、部品点数が少なく、コネクタの構造が簡素である。
【００６３】
また、従来のコネクタでは、係合部材９０３が基板９１７をハウジング９０１に挿入するときの抵抗となるが、この実施形態のコネクタ１０には係合部材９０３に相当するものがないので、従来のコネクタよりも小さな力でフレキシブル配線基板８０をハウジング３０の挿入部３１に挿入することができる。
【００６４】
なお、この実施形態では、従来のコネクタの仕切り板９０７に相当するものがないので、第１コンタクト５０をハウジング３０の前方から圧入することができるとともに、第２コンタクト６０をハウジング３０の後方から圧入することができ、ハウジング３０の前部に第１コンタクト５０の接続部５５を配置し、ハウジング３０の後部に第２コンタクト６０の接続部６５を配置することができる。その結果、第１コンタクト５０と第２コンタクト６０との配列ピッチを小さくでき、その分コネクタ１０の長手方向ＬＨにおける寸法を小さくすることができる。
【００６５】
次に、この発明の第２実施形態に係るコネクタを図１３〜図１４Ｃに基づいて説明する。
【００６６】
第１実施形態と共通する部分については同一符号を付してその説明を省略する。以下、第１実施形態との主な相違部分についてだけ説明する。
【００６７】
コネクタ２１０の動作部材２７０は、受け部７２に回転力を与えて受容部（ハウジング側受容部）２３５内のロック部７２Ｅを挿入部３１の外へ移動させるロック解除用操作部２７３を有する。更に、第１実施形態のハウジング３０の受容部３５が凹部であるのに対し、第２実施形態のハウジング２３０の受容部２３５は貫通孔である。この２つの点で、第２実施形態のコネクタ２１０と第１実施形態のコネクタ１０とは異なる。その他の点では、第２実施形態のコネクタ２１０と第１実施形態のコネクタ１０とは共通する。ロック解除用操作部２７３は操作部７１及び受け部７２に一体に設けられ、操作部７１の本体部７１Ａと平行に延びている。
【００６８】
次に、コネクタ２１０の動作を説明する。
【００６９】
ハウジング２３０の挿入部３１にフレキシブル配線基板８０が挿入されていないとき、動作部材２７０のロック解除用操作部２７３は起立している（図１４Ａ参照）。
【００７０】
フレキシブル配線基板８０がハウジング２３０の挿入部３１に挿入されると、動作部材２７０の受け部７２がフレキシブル配線基板８０に押されて回転し、受け部７２がハウジング２３０の挿入部３１から抜け出す（図１４Ｂ参照）。
【００７１】
フレキシブル配線基板８０がハウジング２３０の挿入部３１の所定位置まで挿入されると、動作部材２７０の受け部７２のロック部７２Ｅがフレキシブル配線基板８０の受容部８５を通じてハウジング２３０の受容部２３５に入る（図１４Ｃ参照）。その結果、フレキシブル配線基板８０は受け部７２のロック部７２Ｅによってロックされる。
【００７２】
フレキシブル配線基板８０がロック部７２Ｅによってロックされた状態からフレキシブル配線基板８０をハウジング２３０から引き抜くには、図１４Ｃに示す動作部材２７０の状態から、指でロック解除用操作部２７３を前方へ倒す（図１４Ｂに示す動作部材２７０の状態を参照）。その結果、受け部７２のロック部７２Ｅがハウジング２３０の受容部２３５から抜け出し、ロック部７２Ｅによるフレキシブル配線基板８０のロック状態が解除され、フレキシブル配線基板８０をハウジング２３０から引き抜くことができる。
【００７３】
第２実施形態によれば、第１実施形態と同様の作用効果を奏するとともに、動作部材２７０のロック解除用操作部２７３を指で操作することによって、ロック部７２Ｅによるフレキシブル配線基板８０のロック状態を解除することができるので、フレキシブル配線基板８０をハウジング３０から簡単に引き抜くことができる。
【００７４】
なお、上述の実施形態では、２種類のコンタクト（第１コンタクト５０及び第２コンタクト６０）を用いたが、コネクタ１０の用途等に応じて１種類のコンタクトを用いてもよいし、３種類以上のコンタクトを用いてもよい。
【００７５】
また、第１コンタクト５０と第２コンタクト６０とはそれぞれ第１接点部５２，６２及び第２接点部５７，６７を有するが、第１コンタクト５０及び第２コンタクト６０にはそれぞれ少なくとも１つの接点部があればよい。
【００７６】
なお、上述の実施形態では、第１コンタクト５０と第２コンタクト６０とはそれぞればね部５６，６６を有するが、ばね部５６，６６は必ずしも必要ではない。
【００７７】
また、上述の実施形態では、第１コンタクト５０と第２コンタクト６０とはそれぞれ固定アーム部５３，６３を有するが、固定アーム部５３，６３は必ずしも必要ではない。
【００７８】
なお、上述の実施形態では、第１コンタクト５０の接続部５５はハウジング３０の前端部に配置され、第２コンタクト６０の接続部６５はハウジング３０の後端部に配置されているが、接続部（図示せず）をハウジング３０の前端部に一列に配置してもよいし、ハウジング３０の後端部に一列に配置してもよい。
【００７９】
また、上述の実施形態では、ハウジング側受容部（受容部３５，２３５）の一例として凹部や貫通孔を採用したが、凹部や貫通孔に代えて切欠を採用してもよい。また、接続対象物側受容部（受容部８５）の一例として切欠を採用したが、切欠に代えて貫通孔を採用してもよい。
【００８０】
なお、上述の実施形態では、接続対象物の一例としてフレキシブル配線基板８０を挙げたが、接続対象物はフレキシブル配線基板８０に限られず、接続対象物側受容部を有していればプリント基板（図示せず）でもよい。これに対し、他の接続対象物の一例として図示しないプリント基板を挙げたが、他の接続対象物はプリント基板に限られず、フレキシブル配線基板（図示せず）でもよい。
【符号の説明】
【００８１】
１０，２１０:コネクタ
３０，２３０:ハウジング
３０Ａ：前面部
３０Ｂ：背面部
３０Ｃ：側面部
３０Ｄ：上面部
３１：挿入部
３１Ａ：挿入口
３１Ｂ：誘い部
３２：収容部
３２Ａ：軸受部
３３：第１コンタクト収容室
３４：第２コンタクト収容室
３５，２３５：受容部（ハウジング側受容部）
５０：第１コンタクト
５１:可動アーム部
５１Ａ：先端部
５２：第１接点部（接点部）
５３：固定アーム部
５４：連結部
５５：接続部
５６：ばね部
５７：第２接点部（固定アーム部側接点部）
６０：第２コンタクト
６１:可動アーム部
６１Ａ：先端部
６２：第１接点部（接点部）
６３：固定アーム部
６４：連結部
６５：接続部
６６：ばね部
６７：第２接点部（固定アーム部側接点部）
７０，２７０：動作部材
７１：操作部
７１Ａ：本体部
７１Ｂ：第１凹部
７１Ｃ：第２凹部
７１Ｄ，７１Ｅ：内面
７２:受け部
７２Ａ：前面
７２Ｂ：後面
７２Ｃ：上面
７２Ｄ：傾斜面
７２Ｅ：ロック部
２７３：ロック解除用操作部
８０:フレキシブル配線基板（接続対象物）
８１：ベースフィルム
８１Ａ：切欠
８２：導体路
８２Ａ，８２Ａ´：端子部
８３：カバーフィルム
８４：補強板
８４Ａ：切欠
８５：受容部（接続対象物側受容部）
ＵＤ：上下方向
ＬＨ：長手方向
ＤＩ：挿入方向
【図１】
2015158968.tif 000003
【図２】
2015158968.tif 000004
【図３】
2015158968.tif 000005
【図４】
2015158968.tif 000006
【図５】
2015158968.tif 000007
【図６】
2015158968.tif 000008
【図７Ａ】
2015158968.tif 000009
【図７Ｂ】
2015158968.tif 000010
【図７Ｃ】
2015158968.tif 000011
【図８Ａ】
2015158968.tif 000012
【図８Ｂ】
2015158968.tif 000013
【図８Ｃ】
2015158968.tif 000014
【図９Ａ】
2015158968.tif 000015
【図９Ｂ】
2015158968.tif 000016
【図９Ｃ】
2015158968.tif 000017
【図１０Ａ】
2015158968.tif 000018
【図１０Ｂ】
2015158968.tif 000019
【図１０Ｃ】
2015158968.tif 000020
【図１１Ａ】
2015158968.tif 000021
【図１１Ｂ】
2015158968.tif 000022
【図１１Ｃ】
2015158968.tif 000023
【図１２Ａ】
2015158968.tif 000024
【図１２Ｂ】
2015158968.tif 000025
【図１２Ｃ】
2015158968.tif 000026
【図１３】
2015158968.tif 000027
【図１４Ａ】
2015158968.tif 000028
【図１４Ｂ】
2015158968.tif 000029
【図１４Ｃ】
2015158968.tif 000030
【図１５】
2015158968.tif 000031
【図１６】
2015158968.tif 000032
【図１７】
2015158968.tif 000033